(57)【要約】【課題】テレビ電話における、わずらわしいキー操作を行うことなく代替画像を容易に選択できるようにする。【解決手段】カメラ部８により使用者を撮影した撮影画像データ５１１を送信するテレビ電話装置において、前記撮影画像データ５１１を予め登録した代替画像データ５２２に切り替えて送信する場合に、前記代替画像データ５２２と予め登録した前記使用者の比較用画像データ５２１を対応づけておき、前記撮影画像データ５１１を前記比較用画像データ５２１と比較してこれら画像が一致すると判定されたとき、前記撮影画像データ５１１の代わりに前記比較用画像データ５２１と対応する代替画像データ５２２を自動的に選択して送信する。【選択図】図１
2007228379.tif 000002
【特許請求の範囲】
【請求項１】
カメラにより使用者を撮影した撮影画像を電話相手に送信するテレビ電話装置において、
前記撮影画像を予め登録した代替画像に切り替えて送信する場合に、
前記代替画像と予め登録した前記使用者の比較用画像とを対応づけておき、
前記撮影画像を前記比較用画像と比較してこれら画像が一致すると判定されたとき、前記撮影画像の代わりに前記比較用画像と対応する代替画像を自動的に選択して送信することを特徴とするテレビ電話装置。
【請求項２】
前記カメラからの撮影画像に代替する代替画像を予め登録する第１記憶手段と、前記比較用画像を前記代替画像に対応づけて予め登録する第２記憶手段と、前記撮影画像と前記比較用画像とを比較する比較手段と、この比較手段により前記撮影画像と前記比較用画像が一致した場合、前記撮影画像を前記比較用画像と対応した前記代替画像に自動的に切り替える制御手段を有する請求項１記載のテレビ電話装置。
【請求項３】
前記制御手段は、前記比較用画像と前記代替画像との対応づけを、予め登録した代替画像リストの代替画像から、前記比較用画像に対応して１つの代替画像を選択しておくことにより行う請求項２記載のテレビ電話装置。
【請求項４】
前記制御手段は、テレビ電話を開始する際に、通話相手の電話番号が登録されていない場合または通話相手の発着信履歴や送受信メールがない場合は、前記代替画像への切替を自動切替とせず、手動切替とする請求項２または３記載のテレビ電話装置。
【請求項５】
請求項２，３，４または５記載のテレビ電話装置を備えることを特徴とするテレビ電話つき携帯端末。
【請求項６】
請求項２，３，４または５記載のテレビ電話装置を備えることを特徴とするテレビ電話つき携帯電話機。
【請求項７】
カメラにより使用者を撮影した撮影画像を電話相手に送信するテレビ電話方法において、
前記撮影画像を予め登録した代替画像に切り替えて送信する場合に、
前記代替画像と予め登録した前記使用者の比較用画像とを予め対応づけておき、
前記撮影画像を前記比較用画像と比較してこれら画像が一致すると判定したとき、前記撮影画像の代わりに前記比較用画像と対応づけた代替画像を自動的に切り替えて送信することを特徴とするテレビ電話方法。
【請求項８】
前記比較用画像と前記代替画像との対応づけは、予め登録した代替画像リストのうちの代替画像から１つの代替画像から１つの代替画像を選択することにより行う請求項７記載のテレビ電話方法。
【請求項９】
テレビ電話を開始する際に、通話相手の電話番号が登録されていない場合または通話相手の発着信履歴や送受信メールがない場合は、前記代替画像への切替を自動切替とせず、手動切替とする請求項７または８記載のテレビ電話方法。
【請求項１０】
請求項７，８または９記載のテレビ電話方法を用いて通信を行うことを特徴とするテレビ電話つき携帯端末の通信方法。
【発明の詳細な説明】
【技術分野】
【０００１】
本発明は、テレビ電話装置、テレビ電話つき携帯端末、そのテレビ電話方法およびテレビ電話つき携帯端末の通信方法に関し、特に代替画像を選択できるようにしたテレビ電話、テレビ電話つき携帯端末およびそのテレビ電話方法に関する。
【背景技術】
【０００２】
近年、携帯電話では、テレビ電話機能が搭載されていることで、音声通話に加え、お互いに撮影した画像をリアルタイムに送受信できる。このテレビ電話で、留守番電話応対時や自分の表情を強調したい時に、自分自身の代替する画像（以下代替画像という）を送信する場合がある。この代替画像を利用している時でも、代替画像を怒っているキャラクタや喜んでいるキャラクタ等に変更することで、感情を通話相手に伝えることができる。また、テレビ電話中の代替画像の選択は、数字キーに代替画像を割り付けることで少ないキー操作で可能である。
【０００３】
しかし、多くの代替画像をキーに割り付けると、どのキーがどの代替画像に割り当てられているかを記憶しなければならなく、テレビ電話中の選択変更操作をわずらわしく感じてしまう。
【０００４】
従来例１として、この種のテレビ電話端末が、特許文献１（特開２００４−３２８０６９号公報）に示されている。このテレビ電話端末は、留守番電話応対時に、相手端末のテレビ画面に対して、コマンド入力したデータに基づいて変化するアニメーションを表示するものである。この変化を指示するコマンド入力は、端末のキー入力である。
【０００５】
図７はこの従来例１の構成を示すブロック図である。移動機１０ａは、アンテナ１、無線部２、制御部３ａ、表示部６ａ、操作部７ａ、カメラ部８、データ解析部２１、画像生成部２２からなる。無線部２は、外部との通信を行う。制御部３ａは、ＣＰＵ４やＲＯＭ５ｂを内蔵して各部を制御する。カメラ部８は、テレビ電話機能時に、自分自身を撮影する。表示部６ａは、ユーザインタフェースを提供する。また、表示部６ａは、カメラ８で撮影した画像や代替画像および無線部２を介して着信相手の移動機から受信した画像などを表示する。
【０００６】
操作部７ａは、自分自身の代替画像に、「笑う」、「泣く」などの表情や「口を開ける」、「目を閉じる」などの動作のアクションコマンドを入力する。メモリ５ａは、代替画像や、操作部７ａで入力されたアクションコマンドを記憶する。データ解析部２１は、メモリ５ａに記憶されたアクションコマンドを解析する。画像生成部２２は、メモリ５ａに記憶された代替画像にデータ解析部２１で解釈したアクションコマンドを反映した画像（アニメーション）を生成する。
【０００７】
この代替画像とは、テレビ電話機能において、カメラで撮影した自分自身の画像の代わりに、着信相手の移動機に送信する画像を意味する。つまり、自分自身の「化身」として表示する画像を指す。
【０００８】
図８は図７のアクションコマンドの入力方法を説明する模式的平面図である。移動機１０ａは、表示部６ａに表示された代替画像７１に対して、操作部７ａから表情（笑う、泣くなど）や動作（口を開ける、目を閉じるなど）のアクションを入力する。このアクションは、予め操作部７ａの各キーに固有の動作を割り当てられている。このとき、各キーに割り当てられているアクションの内容については、表示部６ａにガイダンス７２として表示される。
【０００９】
移動機のメモリは、ユーザが操作部７ａから入力したアクションの順番を、アクションコマンド７３として記憶する。各アクションは各キーに割り当てられているため、アクションコマンド７３は、入力順番とキーのインデックスのデータ列を保持しておけば良い。この従来例１では、前述のように、多くの代替画像をキーに割り付けるので、どのキーがどの代替画像に割り当てられているかを記憶しなければならず、テレビ電話中の選択変更操作がわずらわしくなるという問題がある。
【００１０】
また、従来例２として、特許文献２（特開２００５−２０２８５４号公報）には、人の画像情報と音声情報とからその人の感情を判定する画像処理装置が示され、ＴＶ電話システムにも適用できると説明している。この画像処理装置は、人の顔のそれぞれのパーツの変化と、音声を解析して得られた解析情報を組み合わせることで感情情報を読み取り、この感情に基づいた代替画像を出力するものである。
【００１１】
従来例３として、特許文献３（特開平１０−２３２９３４号公報）には、顔画像の特徴を抽出して登録する顔画像登録装置が示され、これが、ＴＶ、電話に適用できると説明している。この顔画像登録装置は、顔画像を登録するための判断材料は、ユーザ自身の事前に撮像した画像情報であり、顔認証時にこの事前に撮影した顔画像と現在撮影した顔画像の一致不一致を判断する点が示されている。
【００１２】
【特許文献１】特開２００４−３２８０６９号公報
【特許文献２】特開２００５−２０２８５４号公報
【特許文献３】特開平１０−２３２９３４号公報
【発明の開示】
【発明が解決しようとする課題】
【００１３】
上述したように従来例１では、テレビ電話の代替画像を利用して感情を通話相手に伝えることができ、また、代替画像を数字キーに割り付けることで、少ないキー操作で代替画像を変更することが可能である。しかし、多くの代替画像をキーに割り付けると、どの代替画像がどのキーに割り付けられているかを記憶する必要があり、テレビ電話中の変更操作をわずらわしいという問題がある。
【００１４】
また、従来例２は、人の画像情報と音声情報とからその人の感情を判定する画像処理装置で、ＴＶ電話システムにも適用できるものである。しかし、この画像処理装置は、感情判定は正確になるかもしれないが、その構成が複雑になるという問題が生ずる。この場合もテレビ電話における代替画像の制御や操作については、従来例１と同様に何らかの切替操作を行う必要があり、切替操作は容易ではない問題がある。
【００１５】
さらに、従来例３は、顔画像の特徴を抽出して登録する顔画像登録装置が示され、これが、ＴＶ、電話にも適用できると説明している。この装置は、事前に撮影した顔画像と現在撮影した顔画像の一致不一致を判断し、特徴項の選択範囲により、その画像を登録すべきかどうか判定している。しかし、テレビ電話における代替画像の切替操作については、従来例１と同様の切替操作を行うことになり、その切替操作は容易ではないという問題がある。
【００１６】
本発明の主な目的は、わずらわしいキー操作を行うことなく代替画像を容易に選択できるようにしたテレビ電話装置、テレビ電話つき携帯端末、そのテレビ電話方法およびテレビ電話つき携帯端末の通信方法を提供することにある。
【００１７】
本発明の他の目的は、予め登録した画像とカメラで撮影した画像との比較結果に応じて、通話相手に送信する代替画像を自動的に変更できるテレビ電話装置、テレビ電話つき携帯端末、そのテレビ電話方法およびテレビ電話つき携帯端末の通信方法を提供することにある。
【課題を解決するための手段】
【００１８】
本発明の構成は、カメラにより使用者を撮影した撮影画像を電話相手に送信するテレビ電話装置において、前記撮影画像を予め登録した代替画像に切り替えて送信する場合に、前記代替画像と予め登録した前記使用者の比較用画像とを対応づけておき、前記撮影画像を前記比較用画像と比較してこれら画像が一致すると判定されたとき、前記撮影画像の代わりに前記比較用画像と対応する代替画像を自動的に選択して送信することを特徴とする。
【００１９】
本発明において、前記カメラからの撮影画像に代替する代替画像を予め登録した第１記憶手段と、前記使用者を撮影した比較用画像を前記代替画像に対応づけて予め登録する第２記憶手段と、前記撮影画像と前記比較用画像とを比較する比較手段と、この比較手段により前記撮影画像と前記比較用画像が一致した場合、前記撮影画像を前記比較用画像と対応した前記代替画像に自動的に切り替える制御手段を有することができ、また、前記制御手段は、前記比較用画像と前記代替画像との対応づけを、予め登録した代替画像リストの代替画像から、前記比較用画像に対応して１つの代替画像を選択しておくことにより行うことができ、また、前記制御手段は、テレビ電話を開始する際に、通話相手の電話番号が登録されていない場合または通話相手の発着信履歴や送受信メールがない場合は、前記代替画像への切替を自動切替とせず、手動切替とすることができる。
【００２０】
本発明のテレビ電話つき携帯端末または携帯電話機の構成は、上述したテレビ電話装置を備えることを特徴とする。
【００２１】
本発明の他の構成は、カメラにより使用者を撮影した撮影画像を電話相手に送信するテレビ電話方法において、前記撮影画像を予め登録した代替画像に切り替えて送信する場合に、前記代替画像と予め登録した前記使用者の比較用画像とを予め対応づけておき、前記撮影画像を前記比較用画像と比較してこれら画像が一致すると判定したとき、前記撮影画像の代わりに前記比較用画像と対応づけた代替画像を自動的に切り替えて送信することを特徴とする。
【００２２】
本発明において、前記比較用画像と前記代替画像との対応づけは、予め登録した代替画像リストの代替画像から１つの代替画像を選択することにより行うことができ、また、テレビ電話を開始する際に、通話相手の電話番号が登録されていない場合または通話相手の発着信履歴や送受信メールがない場合は、前記代替画像への切替を自動切替とせず、手動切替とすることができる。
【００２３】
本発明のテレビ電話つき携帯端末の通信方法の構成は、上述したテレビ電話方法を用いて通信を行うことを特徴とする。
【発明の効果】
【００２４】
以上説明したように本発明の構成によれば、予め登録した画像と自分撮影用カメラで撮影した画像との比較結果に応じて、代替画像を自動的に選択することができ、わずらわしい選択操作を行う必要がなく、代替画像を容易に選択できるという効果がある。
【発明を実施するための最良の形態】
【００２５】
次に図面により本発明の実施形態を説明する。図１は本発明の一実施形態のテレビ電話つき携帯電話機のテレビ電話中に代替画像を切り替える動作を示す模式的ブロック図、図２は図１のテレビ電話つき携帯電話機のブロック図である。このテレビ電話つき携帯電話機１０は、図２に示すように、アンテナ１と、無線部２と、制御部３（図１では省略）と、ＬＣＤ表示部６と、操作部７と、カメラ部８と、音声処理部９で構成される。制御部３は、ＣＰＵ４、メモリ５、他の制御回路を有する。
【００２６】
本発明の実施形態は、テレビ電話中の通話相手に送信するキャラクタ等の代替画像を、予め登録した画像と撮影した画像の比較結果に応じて、自動的に切り替えることを特徴とする。
【００２７】
図１の模式的ブロック図において、携帯電話機１０が、テレビ電話中に、通話相手にキャラクタ等の代替画像を送信しているとする。この時、カメラ部８で撮影した画像データを、メモリ５に保存する（Ｄ１）。なお、メモリ５は、ＲＡＭ５１とＲＯＭ５２とから構成され、ＲＡＭ５１には、撮影データ５１１が記憶され、ＲＯＭ５２には、比較（用画像）データ５２１、代替画像データ５２２、紐付け情報５２３が記憶される。ＲＯＭ５２は書き込み可能なＲＯＭとする。なお、ＲＯＭの代わりに外付けのメモリを使用してもよい。
【００２８】
制御部３は、予め撮影して登録した比較用画像データ５２１を順々にＲＯＭ５２から読み出し、カメラ部８で撮影した画像の撮影データ５１１と順次比較する（Ｄ２）。この比較の結果、これらがほぼ一致した比較用画像データ５２１がある場合には、制御部３は、比較用画像データ５２１に関連付けられたテレビ電話用の代替画像データ５２２を読み出す。そして、制御部３は、代替画像データ５２２をＬＣＤ表示部６へ送信して表示し、無線部２を介してテレビ電話の通話相手に送信する（Ｄ３）。
【００２９】
携帯電話機１０は、制御部３の制御により無線部２、アンテナ１を介して図示しない基地局と通信を行う。無線部２は、アンテナ１で受信した信号を、受信したい信号周波数を選択し周波数変換を行い増幅し、受信データとして復調し、この受信データを制御部３に出力する。制御部３は、受信データを処理して音声信号を音声処理部９に出力し、音声処理部９は、音声信号をアナログ信号に変換してレシーバ１１より音声を出力する。また、マイク１２より入力された音声は、音声処理部９にて、デジタル信号に変換され、制御部３が、その信号を送信データに処理し、無線部２にて、変調し規定の周波数の搬送波として増幅し、アンテナ１より送信を行う。制御部３は、操作部７を監視し、ユーザの操作を検出判断し操作に基づく処理を行う。
【００３０】
ＬＣＤ表示部６は、制御部３の制御により各種表示を行う。テレビ電話中には、通話相手からの受信画像６１、通話相手への送信画像６２、カメラからのカメラ撮影画像６３、予め登録されている比較用撮影画像６４の４つの画像を同時に表示できる。メモリ５は、携帯電話機１０を制御するプログラムや電話帳やメール等データやカメラ画像の一時保存等に使用する。カメラ部８は、静止画や動画等の撮影データを制御部３へ出力する。
【００３１】
本実施形態における、比較用画像データと、代替画像との紐付け（対応づけ）情報をメモリに登録する動作を図３、図４を用いて説明する。図３は、比較用画像データと、代替画像データとの紐付けデータをメモリに登録する動作を示したフロー図である。図４は、比較用画像と代替画像の紐付け情報の構成を示した構成図である。
【００３２】
ＲＯＭ５２は、比較用画像データ５２１、代替画像データ５２２、紐付け情報５２３が記憶され、比較用画像データ５２１と代替画像データ５２２とが紐付け（対応づけ）されて、比較データ５２１と代替画像データ５２２との紐付け情報５２３となる。
【００３３】
すなわち、図４では各データが５個の例を示している。図４のように、比較用画像データ５２１（１）（２）・・・（５）の比較用画像データ領域４１と、代替画像データ５２２（１）（２）・・・（５）の代替画像データ領域４３とは、紐付け情報領域４２により紐付けされる。例えば、比較用画像データ領域４１の比較用画像データ（１）と代替画像データ領域４３の代替画像データ（１）とが、紐付け情報領域４２の紐付け情報（１）により紐付けされている。また、比較用画像データ領域４１の比較用画像データ（３）（４）と代替画像データ領域４３の代替画像データ（３）とが、紐付け情報領域４２の紐付け情報（３）により紐付けされている。この場合、比較用画像データ（３）（４）が、同じ代替画像データ（３）に代替される。
【００３４】
比較用画像データ５２１をＲＯＭ５２に取り込む場合、図３に示すように、比較用画像データを撮影するため、操作者が操作部７により起動する（ステップＳ１）。この起動により、制御部３はカメラ部８を起動して、カメラ部８から取得した画像データをＬＣＤ表示部６に表示する（ステップＳ２；以下ステップは省略する）。
【００３５】
そして、操作者が撮影モードを比較用画像データ撮影に設定すると（Ｓ３）、制御部３は、カメラ部８から取得した画像データに、画像データの中心を示すマークを付加した画像データを、ＬＣＤ表示部６へ送信する。ＬＣＤ表示部６は受信したデータを表示する（Ｓ４）。画像データの中心にマークを付与することで、操作者が画像データの中心を意識した画像を撮影することが可能となる。
【００３６】
比較用画像を保存するため、操作者が撮影操作を行うと（Ｓ５）、制御部３は、カメラ部８から撮影した画像の撮影データ５１１を取得して、ＲＯＭ５２の比較用撮影データ領域４１に保存する（Ｓ６）。そして、操作者が紐付ける代替画像データ５２２を選択するための代替画像一覧画面を表示する（Ｓ７）。操作者は代替画像一覧から紐付けする代替画像を選択すると（Ｓ８）、制御部３は、撮影データ５１１と代替画像データ５２２の関係をＲＯＭ５２の紐付け情報領域４２に登録する（Ｓ９）。代替画像データ５２２は複数の比較用画像データに紐付けることが可能となる。
【００３７】
例えば、予め撮影した笑顔の撮影データ５１１が、比較用画像データ領域４１の笑顔の比較用画像データ（１）として登録されていたとする。この笑顔の比較用画像データ（１）は予め代替画像データ領域４３の代替画像データ（１）と紐付けしておき、紐付け情報領域４２の紐付け情報（１）としておく。そして、ＴＶ電話時に、笑顔の撮影データ５１１が入力されたときには、この撮影データ５１１を比較用画像データ領域４１の比較用画像データと比較する。この比較結果、撮影データ５１１が笑顔の比較用画像データ（１）と対応することが判明すると、比較用画像データ領域４１の比較用画像データ（１）による紐付け情報領域４２の紐付け情報（１）から、この比較用画像データ領域４１の笑顔の比較用画像データ（１）と対応する代替画像データ領域４３の笑顔に対応した代替画像データ（１）が自動的に選択される。
従って、撮影データ５１１と比較用画像データ領域４１の比較用画像データとの一致が判明すれば、予め設定した代替画像データ領域４３の代替画像データを自動的に選択することが出来、代替画像データの選択を簡単化できる。
【００３８】
本実施形態では、予め登録しておいた比較用画像データ５２１と、代替画像データ５２２の紐付け（対応づけ）を行い、撮像しているユーザの撮像データ５１１と比較用画像データ５２１の一致不一致を比較し、これらが一致した場合、比較用画像データ５２１と紐付けされている代替画像データ５２２を用いてＴＶ電話を行うことを特徴とする。
【００３９】
本実施形態の構成によれば、予め登録した画像と自分撮影用カメラで撮影した画像との比較結果に応じて、代替画像を選択して送信することで、わずらわしい選択操作を行う必要がないため、わずらわしい選択操作を行う必要がなく、代替画像を容易に選択できるという効果がある。
【実施例１】
【００４０】
本実施形態の動作の一例として、実施例１となるテレビ電話中に代替画像を切り替える場合を図５により説明する。図５はテレビ電話中に代替画像を切り替える動作のフロー図である。
【００４１】
まず、操作者が、テレビ電話を発信または着信して、通話状態へ移行して、代替画像を送信している状態にした時（Ｓ１１）、制御部３は、カメラ８で撮影した画像データ５１１をＲＡＭ５１に保存し、この画像データをＬＣＤ表示部６に送信し、ＬＣＤ表示部６にあるカメラ撮影画像６３でその画像を表示する。この時、画像の中心を操作者が認識できるように、表示する画像の中心にマークを付加して、ＬＣＤ表示部６に送信する（Ｓ１２）。
【００４２】
制御部３は、事前に撮影してＲＯＭ５２に登録されている比較用画像データ５２１を読み出し（Ｓ１３）、背景を除いた顔部分を切り出すため、画像の中心部分のみを範囲対象にして比較する（Ｓ１４）。
【００４３】
この比較結果、顔部分の画像がほぼ一致した場合は一致処理へ移行するが、これが一致しない場合には、次の比較用画像データ５２１を読み出して、その比較を繰り返す。この比較処理は、一致するか、登録されている画像すべての比較が終了するまで順々に行われる。そして、比較用画像データ５２１に一致する比較用画像データがない場合には、カメラ８の撮影から再度行うことになる（Ｓ１５）。
【００４４】
撮影データ５１１が比較用画像データ５２１にほぼ一致した場合、制御部３は、比較用画像データ５２１と代替画像データ５２２の紐付け情報５２３をＲＯＭ５２から読み出す（Ｓ１６）。そして、紐付け情報５２３から比較用画像データ５２１の情報を検索して、比較用画像データ５２１に紐付けられた代替画像の紐付け情報５２３を取得する（Ｓ１７）。次に、紐付けられた代替画像データ５２２をＲＯＭ５２から読み出し（Ｓ１８）、ＬＣＤ表示部６へ送信して送信画像として表示し（Ｓ１９）、代替画像データ５２２をテレビ電話通話相手に無線部２を介して送信する（Ｓ２０）。この場合、一致した比較用画像データ５２１の中心にマークを付加してＬＣＤ表示部６に送信して、現在の比較用画像６４に表示する（Ｓ２１）。
【実施例２】
【００４５】
図６は本発明の第２の実施例として、代替画像の変更をキー操作に制限する場合のフロー図である。この実施例では、電話帳に登録されていない相手や、電話帳には登録されているが、通話やメールをほとんど行っていない相手とテレビ電話を行う場合、代替画像の変更を、キー操作のみに制限する場合である。
【００４６】
携帯電話機は、カメラ画素数アップやＬＣＤ拡大化等、機能拡張が続いているため、消費電流が増加し、１回の充電で利用可能な時間が短くなるという懸念事項が伴う。これに対して対策が必要である。そこで、本発明である代替画像を変更する制御を、通話相手が電話帳に登録されていない場合や発着信履歴に残っていない場合等を条件にして、抑制することで、撮影に使用するカメラを起動せずに、無駄な電流の浪費を抑えることが可能となる。
【００４７】
図６においては、電話帳登録状況や音声通話およびメールの発着信履歴により、代替画像の切り替え制御をキー操作のみに制限にする。本実施例の図５の実施例からの変更点は、テレビ電話を発着信して代替画像を送信中に、通話相手が、電話帳に登録されていない等の場合は、代替画像の切り替えをキー操作のみに制限するための処理である。すなわち、図５にあるフローチャート内の、ステップＳ１１からＳ１２までの処理が該当する。従って、ステップＳ１３からＳ２１までの処理に変更はない。
【００４８】
テレビ電話を開始して、代替画像を送信している場合、テレビ電話中の通話相手の電話番号が、電話帳に登録されているか確認するため、制御部３は、メモリ５から電話帳データを読み出し、通話中の電話番号があるかどうかを検索する（Ｓ３１）。通話中の電話番号に、電話帳データと一致する電話番号がない場合には、代替画像の切り替えはキー操作のみに制限する（Ｓ３３）。通話中の電話番号が、電話帳データにある場合には、次のステップＳ３２の確認を行う。
【００４９】
ステップＳ３２では、テレビ電話中の通話相手の音声およびメールの発着信履歴があるか確認するため、制御部３は、発着信履歴をメモリ５から読み出し、現在の通話相手の履歴を検索する。そして、現在の通話相手の履歴と一致する履歴がない場合には、代替画像の切り替えはキー操作のみに制限する（Ｓ３３）。現在の通話相手の履歴がある場合には、実施例１と同様に、ステップＳ１３からの代替画像の切り替えをキー操作なしで実施するための処理へ移行する。
【００５０】
本実施例の場合、通常のキー操作が行われるので、自画像撮影用のカメラ８が自動的に起動することはないように、設定することができる。
【産業上の利用可能性】
【００５１】
本発明は、上述のようにテレビ電話つき携帯電話機およびテレビ電話方法に適用できるが、一般のテレビ電話装置、携帯端末装置にも適用することができる。
【図面の簡単な説明】
【００５２】
【図１】本発明の第１の実施形態のテレビ電話つき携帯電話機の画像切替えの機能を説明する模式的ブロック図である。
【図２】図１のテレビ電話つき携帯電話機の構成を説明するブロック図である。
【図３】図１の携帯電話機の比較画像を登録する場合を説明するフロー図である。
【図４】図１の紐付けデータの構成を説明するデータ構成図である。
【図５】図１の代替画像切替えの機能を説明するフロー図である。
【図６】本発明の他の実施例の代替画像切替えの機能を説明するフロー図である。
【図７】従来例のテレビ電話つき携帯電話機のブロック図である。
【図８】図７の操作を説明する携帯電話機の模式的平面図である。
【符号の説明】
【００５３】
１    アンテナ
２    無線部
３    制御部
４    ＣＰＵ
５，５ａ    メモリ
５ｂ，５２    ＲＯＭ
６    ＬＣＤ表示部
７    操作部
８    カメラ部
９    音声処理部
１０    携帯電話機
１１    レシーバ
１２    マイク
２１    データ解析部
２２    画像生成部
４１    比較用画像データ領域
４２    紐付け情報領域
４３    代替画像データ領域
５１    ＲＡＭ
５１１    撮影データ
５２１    比較用画像データ
５２２    代替画像データ
５２３    紐付け情報
６１    受信画像
６２    送信画像
６３    カメラ撮影画像
６４    比較用画像
７１    代替画像
７２    ガイダンス
７３    アクションコマンド
【図１】
2007228379.tif 000003
【図２】
2007228379.tif 000004
【図３】
2007228379.tif 000005
【図４】
2007228379.tif 000006
【図５】
2007228379.tif 000007
【図６】
2007228379.tif 000008
【図７】
2007228379.tif 000009
【図８】
2007228379.tif 000010